(57)【特許請求の範囲】
【請求項１】
底板部(2) の両側に側板部(3) 、(3) を立設した長さの短いケーブル保護枠体(1) の多数個を相隣る底板部(2) の前後を水平方向に回動可能に及び上下方向に揺動可能に連結したケーブル保護材において、前記底板部(2) の一方の端部側を連結差込板部(2a)に形成するとともに他方の端部側を前記連結差込板部(2a)が遊嵌できるスリット(2c)を設けた連結受板部(2b)に形成したうえ該連結差込板部(2a)と連結受板部(2b)の一方に連結突起(4a)を設けるとともに他方に連結孔(4b)を設けて、ケーブル保護枠体(1) の相隣る連結差込板部(2a)を連結受板部(2b)のスリット(2c)に係合したうえ連結突起(4a)を連結孔(4b)に嵌合することにより、相隣る底板部(2)の前後を水平方向に回動可能に及び上下方向に揺動可能に連結したことを特徴とするケーブル保護材。
【請求項２】
連結差込板部(2a)の両面に連結突起(4a)、(4a)を突設し、連結差込板部(2b)に連結孔(4b)を設けた請求項１に記載のケーブル保護材。
【請求項３】
連結突起(4a)を半球状に形成した請求項１又は２に記載のケーブル保護材。
【発明の詳細な説明】
【０００１】
【産業上の利用分野】
本発明は、長さの短いケーブル保護枠体の多数個を彎曲自在に連結してなるケーブル保護材に関するものである。
【０００２】
【従来の技術】
従来の長さの短いケーブル保護枠体の多数個を彎曲自在に連結してなるケーブル保護材は左右方向の彎曲しかできないものであった。
【０００３】
【発明が解決しようとする課題】
ところが、ケーブルの配線箇所によってはケーブル保護材を左右方向のみならず上下方向にも同時に彎曲させなければならない場合があり、また、光ファイバーケーブルのように最小曲率半径を守って間隔の狭い箇所において配線する必要がある場合に三次元の空間で彎曲させるため、左右方向及び上下方向にも彎曲できるケーブル保護材が待望されていた。
【０００４】
【課題を解決するための手段】
上記の課題を解決するためになされた本発明は、底板部の両側に側板部を立設した長さの短いケーブル保護枠体の多数個を相隣る底板部の前後を水平方向に回動可能に及び上下方向に揺動可能に連結したケーブル保護材において、前記底板部の一方の端部側を連結差込板部に形成するとともに他方の端部側を前記連結差込板部が遊嵌できるスリットを設けた連結受板部に形成したうえ該連結差込板部と連結受板部の一方に連結突起を設けるとともに他方に連結孔を設けて、ケーブル保護枠体の相隣る連結差込板部を連結受板部のスリットに係合したうえ連結突起を連結孔に嵌合することにより、相隣る底板部の前後を水平方向に回動可能に及び上下方向に揺動可能に連結したことを特徴するものである。そして、連結差込板部の両面に連結突起を突設し、連結差込板部に連結孔を設ける。また、連結突起を半球状に形成するこが好ましい。
【０００５】
【発明の実施の形態】
次に、本発明の実施の形態を図面に基づき詳細に説明する。
１は底板部２の両側に側板部３、３を立設した長さ約２８mm、高さ約２２mm、幅約２５mmの長さの短いＵ字状のケーブル保護枠体であり、該ケーブル保護枠体１は多数個を相隣る底板部２の前後を水平方向に回動可能に及び上下方向に揺動可能に連結し、左右方向及び上下方向に彎曲できるものとしている。前記底板部２は一方の端部側を連結差込板部２ａに形成するとともに他方の端部側を前記連結差込板部２ａが遊嵌できるスリット２ｃを設けた連結受板部２ｂに形成したうえ、該連結差込板部２ａの表裏面に連結突起４ａ、４ａを突設して設けるとともに連結受板部２ｂに該連結突起４ａが上下に間隙を確保して遊嵌できる連結孔４ｂを設けたものとして、ケーブル保護枠体１の相隣る連結差込板部２ａを連結受板部２ｂのスリット２ｃに係合したう該連結突起４ａを連結孔４ｂに嵌合することにより、相隣る底板部２の前後を水平方向に回動可能に及び上下方向に揺動可能に連結している。
【０００６】
なお、この実施の形態では連結突起４ａを連結差込板部２ａに連結孔４ｂを連結受板部２ｂに設けているが、これとは逆に連結突起４ａを連結受板部２ｂに連結孔４ｂを連結差込板部２ａに設けてもよい。また、連結突起４ａを先端側を細径のテーパ状、例えば図示のように半球状としたり、円錐台形状とすることにより図２に示すように相隣る連結差込板部２ａと連結受板部２ｂがより上下方向に彎曲できるものである。
【０００７】
また、前記の側板部３、３は左右方向及び上下方向の彎曲の妨げにならないように一方の端部側の内側に相隣るケーブル保護枠体１の両側板部３、３の他方の端部側が入り込むように、両側板部３、３の一方の端部側の内面と他方の端部側の外面を前記連結突起４ａ又は連結孔４ｂを中心軸とした略同一曲率半径の凹円弧面５ａと凸円弧面５ｂに形成し、彎曲時に凹円弧面５ａと凸円弧面５ｂとが相互に干渉しないように摺動するものとしている。さらに、他方の端部側の内面を外面の凸円弧面５ｂと平行な凹円弧面６ｂに一方の端部側の内面を外面の凹円弧面５ａと平行な凸円弧面６ａに形成している。なお、側板部３、３が彎曲の妨げにならないようにする手段としては、彎曲時に内側となる側板部３、３の端部同士が当接しないように切欠しても良い。
【０００８】
さらに、前記底板部２の一方の端部側の連結差込板部２ａの両側に切欠部１３を設けるとともに、連結受板部２ｂの両側に切欠部１４を設け、この切欠部１３、１４の切欠端面同士を同一レベルとして、彎曲時に内側となる端面同士が当接して一定の曲率以下に彎曲しないように規制している。７は底板部２の両側中央に突設した固定用の短円柱状の突起であり、該突起７を取付具１１の固定板部１１ａに立設した軸受板部１１ｂの軸孔１１ｃに軸支させるものである。また、８は両側板部３、３の中央上端に形成した蓋板１２を取り付けための係止部であり、この蓋板１２は彎曲の障害にならないように両側板部３、３の中央のみを施蓋するものとされ、各ケーブル保護材の全て、もしくは適当間隔をおいて任意箇所に用いられる。
【０００９】
このように構成された本発明のケーブル保護材は、長さの短いケーブル保護枠体１の多数個が相隣る底板部２の前後を水平方向に回動可能に及び上下方向に揺動可能に連結して連結されているので、図１に示すように左右いずれの方向にも彎曲できることは勿論のこと図２に示すように上下方向にも彎曲できるのであり、設置箇所の表面に凹凸があってもこの凹凸に追従して対応できるもので彎曲させて配線する必要があるケーブルを的確に保護できるものである。また、光ファイバーケーブルのように最小曲率半径を守って配線する必要があるものにあっても三次元の空間で彎曲させることができるので間隔の狭い箇所においても最小曲率半径を確保して配線できるものである。
【００１０】
なお、相隣る底板部２の前後を水平方向に回動可能に及び上下方向に揺動可能に連結する手段として、底板部２は一方の端部側を連結差込板部２ａに形成するとともに他方の端部側を前記連結差込板部２ａが遊嵌できるスリット２ｃを設けた連結受板部２ｂに形成したうえ、該連結差込板部２ａの表裏面に連結突起４ａを設けるとともに連結受板部２ｂに該連結突起４ａが遊嵌できる連結孔４ｂを設けてケーブル保護枠体１の相隣る連結差込板部２ａと連結受板部２ｂを係合したうえ該連結突起４ａを連結孔４ｂに嵌合することによりケーブル保護枠体１同士の連結、離脱作業が容易となり、任意の長さの彎曲自在なケーブル保護材を容易に得ることができる。
【００１１】
また、前記側板部３、３を一方の端部側の内側に相隣るケーブル保護枠体１の両側板部３、３の他方の端部側が入り込むように、両側板部３、３の一方の端部側の内面と他方の端部側の外面を前記連結突起４ａ又は連結孔４ｂを中心軸とした略同一曲率半径の凹円弧面５ａと凸円弧面５ｂに形成することにより、彎曲した箇所の外側となる相隣るケーブル保護枠体１の側板部３と側板部３との間は一方の端部側に入り込でいる他方の端部側が入り込み状態を浅くするのみで開くことがないので、端部に位置するケーブル保護枠体１の両側板部３、３の間からケーブルを挿入する際にケーブルの先端が引っ掛かかることなく凹円弧面５ａに案内されて容易に挿入できるものである。
【００１２】
さらに、他方の端部側の内面も凹円弧面６ｂにすることにより該凹円弧面６ｂがケーブルを彎曲に導いて挿入作業を容易とする。また、外面が凸円弧面５ａである一方の端部側の端面をテーパ状に形成することにより一方の端部側からケーブルの先端を挿入する配線作業をしても該ケーブルの先端が一方の端部側の端面に引っ掛からず作業が容易となる。なお、このように連結したケーブル保護枠体１の端部からケーブルを挿入する手法のほか、連結したケーブル保護枠体１の任意位置で係止した蓋板を外して上から挿入する手法も取ることができる。
【００１３】
また、このケーブル保護材は配線距離が変動する箇所例えば動きのある装置間を配線する際に変動する配線距離に対応できるように、間隔が短くなる場合にケーブルを彎曲させ、長い場合にはケーブルを伸長するのに応じてケーブル保護材が彎曲、伸長するように入口側となる先端と出口側となる基端のケーブル保護枠体１のみを固定することにより行うことができる。この場合に、底板部２の一方の端部側の両側を切欠するとともに他方の端部側の両側を切欠して切欠端面と同一レベルとして、彎曲時に内側となる端面同士が当接して一定の曲率以下に彎曲しないように規制しておくことにより、小さく彎曲した場合に機能が低下する光ファイバーケーブルに最適なものとなる。
【００１４】
【発明の効果】
本発明は以上の説明によって明らかなように、長さの短いケーブル保護枠体の多数個を相隣る底板部の前後を水平方向に回動可能に及び上下方向に揺動可能に連結したので、左右方向及び上下方向に彎曲できるので間隔の狭い箇所においても光ファイバーケーブルの最小曲率半径を守って配線できるものである。
従って、本発明は従来の長さの短いケーブル保護枠体の多数個を彎曲自在に連結してなるケーブル保護材の問題点を解決したものとして業界にもたらす益大なものである。
【図面の簡単な説明】
【図１】本発明の実施の形態を示す平面図である。
【図２】本発明の実施の形態を示す側面図である。
【図３】本発明の実施の形態に使用するケーブル保護枠体を示す斜視図である。
【図４】本発明の実施の形態に使用するケーブル保護枠体を示す一部切欠平面図である。
【図５】本発明の実施の形態に使用するケーブル保護枠体を示す側面図である。
【図６】  本発明の実施の形態の要部を示す断面図である。
【符号の説明】
１    長さの短いケーブル保護枠体
２    底板部
２ａ  連結差込板部
２ｂ  連結受板部
２ｃ  スリット
３    側板部
４ａ  連結突起
４ｂ  連結孔
【図１】
0003797588.tif 000002
【図２】
0003797588.tif 000003
【図３】
0003797588.tif 000004
【図４】
0003797588.tif 000005
【図５】
0003797588.tif 000006
【図６】
0003797588.tif 000007